(57)【要約】    【課題】  洗浄作業時に燃料タンクの内部を目視可能として、タンクの底部に溜まった土砂等の不純物を完全に取り去る。    【解決手段】  エンジン２と、該エンジン２により駆動される動力供給源３とを搭載した床台４内のエンジンの下方に燃料タンク１０を配置し、該燃料タンク１０の天板となる床板７に内部を目視可能な開口部１９，２０を形成するとともに、該開口部１９，２０にそれぞれ蓋２１を被着する。燃料タンク１０は、床台４と一体に形成したものでも、別体に形成したものでもよい。【選択図】    図１
2006342745.tif 000002
【特許請求の範囲】
【請求項１】
床台上にエンジンと、該エンジンにより駆動される動力供給源とを搭載し、前記床台内にエンジンの燃料タンクを配置したエンジン作業機において、前記燃料タンクの天板に内部を目視可能な開口部を形成するとともに、該開口部に蓋を被着することを特徴とするエンジン作業機。
【請求項２】
前記燃料タンクは、前記床台に一体に形成されていることを特徴とする請求項１に記載のエンジン作業機。
【請求項３】
前記燃料タンクは、前記床台とは別体に形成され、前記天板は、前記床台の床板と兼用であって、前記燃料タンクの側板に着脱可能に取り付けられることを特徴とする請求項１に記載のエンジン作業機。
【発明の詳細な説明】
【技術分野】
【０００１】
本発明は、主として野外の建設・土木現場等で使用されるエンジン作業機に関する。
【背景技術】
【０００２】
エンジン作業機は、エンジンと、該エンジンにより駆動される発電機、ウエルダー、コンプレッサー、油圧ユニット等の動力供給源とを床台上に搭載し、エンジンより発する騒音を低減するために、防音構造のケーシングにてエンジン及び動力供給源を覆っている。前記エンジンの燃料タンクは、前記床台上に配置されているものが一般的であるが、長時間燃料無補給で運転することが要求される現場で使用するために、前記エンジン下方の床台内に大容量の燃料タンクを配置したものがある（例えば、特許文献１参照。）。
【特許文献１】特開２０００−２６５８４８公報  第１〜６頁  図３，４，７，８
【発明の開示】
【発明が解決しようとする課題】
【０００３】
このエンジン作業機は、野外で使用されることが多いことから、燃料タンク内に土砂等の粉塵が付着混入することがあるため、定期的に燃料タンクの洗浄を行う必要がある。通常は、燃料タンクの給油口から洗浄ノズルを挿入して内部の洗浄作業を行うが、このような洗浄方法では、タンクの底部に溜まった土砂等の不純物を完全に取り去ることが困難であった。さらに、大容量の燃料タンクは、通常内部に仕切り板があるため、１カ所の開口では底部全体を洗浄しにくい。
【０００４】
そこで本発明は、洗浄作業時に燃料タンクの内部を目視可能として、タンクの底部に溜まった土砂等の不純物を完全に取り去ることができるエンジン作業機を提供することを目的としている。
【課題を解決するための手段】
【０００５】
上記した目的を達成するため、本発明は、床台上にエンジンと、該エンジンにより駆動される動力供給源とを搭載し、前記床台内にエンジンの燃料タンクを配置したエンジン作業機において、前記燃料タンクの天板に内部を目視可能な開口部を形成するとともに、該開口部に蓋を被着することを特徴としている。また、前記燃料タンクは、前記床台に一体に形成されている場合と、、前記床台とは別体に形成され、前記天板は、前記床台の床板と兼用であって、前記燃料タンクの側板に着脱可能に取り付けられる場合とがある。
【発明の効果】
【０００６】
以上説明したように、本発明は、蓋を開けた開口部から燃料タンクの内部が目視可能であるから、洗浄作業時にタンクの底部に溜まった土砂等の不純物を完全に取り去ることができる。また、燃料タンクの天板を着脱可能とすることにより、洗浄作業時に天板を取り外せば、燃料タンクの内部を容易に洗浄することができる。
【発明を実施するための最良の形態】
【０００７】
以下、本発明を図面に示される各実施形態例に基づいて説明する。図１乃至図３は本発明の第１実施形態例を示すもので、エンジン作業機１は、エンジン２と、該エンジン２により駆動される発電機、ウエルダー、コンプレッサー、油圧ユニット等の動力供給源３とを床台４上に搭載し、前記エンジン２及び前記動力供給源３をケーシング５で覆っている。
【０００８】
該ケーシング５の正面壁５ａの中央部分には内部点検扉６が設けられ、該内部点検扉６の内側に前記エンジン２が、前記正面壁５ａの左側内部に前記動力供給源３がそれぞれ配置されている。前記床台４は、図２に示されるように、床板７の両端をそれぞれ下方へ９０度折り曲げて脚部８，８を形成するとともに、該脚部８，８の下端をそれぞれ外側へ９０度折り曲げて接地部９を形成した断面ハット型に一体形成されている。
【０００９】
前記エンジン２の下方には、図１に示されるように、前記床台４の正面から見て右側から約３／５の長さに亘って燃料タンク１０が配置されている。この燃料タンク１０は、前記脚部８，８を正面と背面の側板とし、前記脚部８，８の右側端部間に右側板１１を、前記脚部８，８の正面中央部分よりもやや左側に左側板１２をそれぞれ張設するとともに、前記脚部８，８の下部に底板１３を張設し、前記床板７を天板とし、内部に仕切り板２４を設けてタンク内を二等分した構成で、前記床台４に一体形成されている。前記右側板１１には、ドレンコック１４が設けられている。
【００１０】
前記正面壁５ａの右側下部には、前記燃料タンク１０の給油口１５を突出させる凹部１６が形成されている。前記給油口１５は、前記燃料タンク１０の正面右側部分に前記正面壁５ａ方向に斜めに設けられた円筒体１７と、その開口部に螺着される蓋１８とで構成されている。また、前記燃料タンク１０の天板を兼ねる前記床板７には、２つの開口部１９，２０が形成されている。
【００１１】
開口部１９は、前記仕切り板２４の右側で前記ケーシング５の背面壁５ｂ寄りの前記燃料タンク１０の中央部分に形成され、また、開口部２０は、前記仕切り板２４の左側で前記ケーシング５の正面壁５ａ寄りの前記燃料タンク１０の左側部分に形成されている。これら開口部１９，２０は、前記燃料タンク１０の内部を目視可能に正方形に形成され、それぞれ蓋２１が被着されている。前記開口部１９の蓋２１は、正面壁５ａ側を前記床板７にヒンジ２２にて開閉可能に結合され、背面壁５ｂ側のロック部材２３を係止することにより前記開口部１９を閉塞状態とする。また、前記開口部２０の蓋２１は、背面壁５ｂ側を前記床板７にヒンジ２２にて開閉可能に結合され、正面壁５ａ側のロック部材２３を係止することにより前記開口部２０を閉塞状態とする。
【００１２】
このように構成することにより、燃料タンク１０の洗浄作業時には、前記給油口１５の蓋１８及び前記開口部１９，２０の各蓋２１をそれぞれ開けることにより、洗浄ノズルを挿入して燃料タンク１０の内部を目視しながら洗浄できるから、燃料タンク１０の底部に溜まった土砂等の不純物を完全に取り去ることができる。
【００１３】
図４乃至図６は本発明の第２実施形態例を示すもので、以降の実施形態例のおいて前記第１実施形態例と同一要素には同一の符号を付して説明する。燃料タンク１０は、強度を確保するために、内部に２枚の仕切り板３０を設けて三等分し、第１燃料貯留室３１，第２燃料貯留室３２及び第３燃料貯留室３３に区画している。なお、内部の仕切り板を１枚にして燃料タンクを二等分してもかまわない。前記仕切り板３０は、上部の角に空気流通用の切り欠き３０ａ，３０ａを、下部の角に燃料流通用の切り欠き３０ｂ、３０ｂをそれぞれ形成している。この燃料タンク１０の天板となる前記床板７には、前記第１燃料貯留室３１の上部位置に前記給油口１５が、前記第２燃料貯留室３２の上部位置に円形の開口部３４が、前記第３燃料貯留室３３の上部位置に円形の開口部３５がそれぞれ形成されている。両開口部３４，３５には、それぞれ蓋１８が螺着されている。
【００１４】
この構成により、燃料タンク１０の洗浄作業時に、前記給油口１５の蓋１８及び前記開口部３４，３５の蓋１８を開け、前記第３燃料貯留室３３を洗浄する場合は、前記開口部３５から洗浄ノズルを挿入して第３燃料貯留室３３の内部を目視しながら洗浄し、前記第２燃料貯留室３２を洗浄する場合は、前記開口部３５から洗浄ノズルを挿入して第２燃料貯留室３２の内部を目視しながら洗浄し、前記第１燃料貯留室３１を洗浄する場合は、前記給油口１５から洗浄ノズルを挿入して第１燃料貯留室３１の内部を目視しながら洗浄する。したがって、燃料タンク１０の底部に溜まった土砂等の不純物を完全に取り去ることができる。
【００１５】
図７及び図８は本発明の第３実施形態例を示すもので、エンジン作業機１は、床台４を一対の床フレーム４１，４１と床板４２とで構成しており、前記床フレーム４１，４１の間には燃料タンク４３が配置されている。前記床フレーム４１は、脚部４１ａの両端をそれぞれ外側へ９０度折り曲げて、下部を接地部４１ｂ、上部を床板取付部４１ｃとしている。前記燃料タンク４３は、前記床台４とは別体で、上部を開口した箱状のタンク本体４４と、該タンク本体４４の上部開口を天板として塞ぐ前記床板４２とで構成されている。前記タンク本体４４は、プレス加工により底板４４ａと側板４４ｂとを連続させ、側板４ｂ上部端縁は外側へ９０度折り曲げて、前記床フレーム４１の床板取付部４１ｃと前記床板４２との間に挟持される支持部４４ｃとしている。
【００１６】
この燃料タンク４３は、前記床フレーム４１，４１の下部間に張設されたタンク支持板４５上に載置されて、前記各支持部４４ｃを前記床フレーム４１，４１の各床板取付部４１ｃ上に乗せ、該床板取付部４１ｃにボルト４６及びナット４７で取り付けられる前記床板４２にて上部開口を塞がれる。この床板４２には、前記第１実施形態例と同様の給油口１５と開口部１９，２０とが設けられ、前記給油口１５には蓋１８が、前記開口部１９，２０にはそれぞれ蓋２１が被着されている。
【００１７】
この構成により、燃料タンク１０の洗浄作業時に、前記給油口１５と開口部１９，２０とから内部を目視して洗浄できるだけでなく、燃料タンク４３の天板を兼用する前記床板４２を取り外すことにより、燃料タンクの内部を容易に洗浄することができる。
【図面の簡単な説明】
【００１８】
【図１】第１実施形態例のエンジン作業機の一部切り欠き正面図
【図２】同じくエンジン作業機の一部切り欠き側面図
【図３】同じく床台と燃料タンクを示す平面図
【図４】第２実施形態例のエンジン作業機の一部切り欠き正面図
【図５】同じくエンジン作業機の一部切り欠き側面図
【図６】同じく床台と燃料タンクを示す平面図
【図７】第３実施形態例のエンジン作業機の一部切り欠き側面図
【図８】同じく床台と燃料タンクを示す断面図
【符号の説明】
【００１９】
１…エンジン作業機、２…エンジン、３…動力供給源、４…床台、７，４２…床板、１０，４３…燃料タンク、１５…給油口、１８，２１…蓋、１９，２０，３４，３５…開口部、４１…床フレーム、４４…タンク本体、４４ａ…タンク本体の底板、４４ｂ…タンク本体の側板
【図１】
2006342745.tif 000003
【図２】
2006342745.tif 000004
【図３】
2006342745.tif 000005
【図４】
2006342745.tif 000006
【図５】
2006342745.tif 000007
【図６】
2006342745.tif 000008
【図７】
2006342745.tif 000009
【図８】
2006342745.tif 000010